(57)【特許請求の範囲】
【請求項１】
複数の遊技台および複数の遊技媒体貸出機が列設されてなり各遊技媒体貸出機に投入された貨幣を回収して一方向に搬送する貨幣回収手段として硬貨回収コンベア装置および紙幣回収コンベア装置を内部に備えた遊技台島の側面に配置する貨幣両替機であって、
該貨幣両替機の本体背板部略中央に前記硬貨回収コンベア装置の末端が貫入され、
該貨幣両替機の本体内部略中央に、前記硬貨回収コンベア装置の末端に対向して、回収された硬貨を受け入れて排出する硬貨受入排出部が配置され、
該貨幣両替機の本体内部上方に、前記硬貨受入排出部より上方に受入部を有する硬貨収納部と該硬貨収納部の下方に位置する繰出部とからなる硬貨処理装置が配置され、
前記繰出部の下方に、該繰出部から繰り出された硬貨を投出する硬貨投出手段が配置され、
該貨幣両替機の本体内部側方の本体背板部近接位置に、前記硬貨受入排出部から排出された硬貨を受け取って前記硬貨収納部の受入部へ搬送する硬貨搬送手段が配置され、
前記硬貨処理装置は、該貨幣両替機の本体内部上方の、前記硬貨搬送手段の前方で前記硬貨搬送手段と干渉しない位置に配置され、
該硬貨処理装置と並んで該貨幣両替機の本体内部上方の中央から前記硬貨搬送手段とは反対側の側方にかかる位置に紙幣処理装置が配置され、
該貨幣両替機の本体前面に開閉可能な扉体が設けられるとともに、前記硬貨処理装置、硬貨投出手段、硬貨搬送手段および紙幣処理装置を含む該貨幣両替機の内部機器が、前記扉体を開放するだけで前記硬貨受入排出部のメンテナンスを行うことができるよう、前記硬貨受入排出部の前方を避けて配置されていることを特徴とする貨幣両替機。
【発明の詳細な説明】
【０００１】
【産業上の利用分野】
本発明は、複数の遊技台と複数の遊技媒体貸出機が列設されてなり（遊技台と遊技媒体貸出機とが一体的に形成される場合も含む。）、各遊技媒体貸出機に投入された貨幣を回収して一方向に搬送する貨幣回収手段を内部に備えた遊技台島の側面に配置する貨幣両替機に関するものである。
【０００２】
【従来の技術】
遊技台島の側面に貨幣両替機が配置されたものが従来から知られており、その一例が実開平５−１８６号公報に記載されている。
【０００３】
上記実開平５−１８６号公報に記載されたものにおいて、遊技台島には、複数の遊技台と複数の遊技媒体貸出機が列設され、また、各遊技媒体貸出機に投入された硬貨を回収して島端に搬送する硬貨回収コンベアと各遊技媒体貸出機に釣銭硬貨を補給する硬貨補給コンベアが内部に設けられる。そして、硬貨回収コンベアの下流側となる遊技台島の側面には、硬貨補給ユニットを挟んで、両替機が配置されている。また、硬貨補給ユニットは遊技台島の側面に固設され、この硬貨補給ユニットから少なくとも左右一対のガイドアームが水平に突設されて、両替機等がこれらガイドアームに沿って進退可能に支持され、その引出し終端位置で一方のガイドアームの先端を中心に回動可能に取り付けられている。硬貨補給ユニットは、硬貨回収コンベアによって回収されてきた硬貨を５００円硬貨と１００円硬貨に分類した後、５００円硬貨は昇降可能なバケットにより上方に搬送して両替機に送り込み、１００円硬貨は昇降可能なバケットにより上方に搬送して釣銭硬貨として硬貨補給コンベアに送り込むものである。そして、いずれの金種の硬貨についても、オーバーフロー分は金箱に回収することができるようになっている。
【０００４】
通常、この種の両替機においては利用者が取りやすい高さ位置に硬貨投出口を配置する。その場合、硬貨投出口に硬貨を投出する投出機構及び貯留部は両替機内の比較的高い位置に配置しなければならず、そのため、硬貨補給ユニット内における５００円硬貨の上方への搬送が必要である。また、硬貨補給コンベアによって補給する硬貨は、各遊技媒体貸出機の設置位置においてコンベア上から排出し、遊技媒体貸出機内の通路を自重によって転動落下させる。その場合、硬貨補給コンベアは比較的高い位置に配置しなければならず、そのため、硬貨補給ユニット内における５００円硬貨の上方への搬送が必要である。
【０００５】
【発明が解決しようとする課題】
しかしながら、上記従来装置においては、遊技台島の側面に硬貨補給ユニットを挟んで両替機を取り付けるものである為、遊技台島の側面からの突出量が大きくなる。ところが、通常、遊技台島の側面は遊技ホールの通路に面するようになる為、両替機等の突出量が大きいと通路が狭くなってしまい、また、通路の幅を十分に確保しようとすれば遊技台島が短くなるため、遊技台の数を減らす必要が生じる。
【０００６】
また、硬貨回収コンベアの末端近傍（受入排出部）においては硬貨の受け渡し時に詰まり等のトラブルが発生し易いが、上記従来装置においては、トラブルが発生した場合に、両替機を回動させて硬貨補給ユニットの前方から退避させた後、トラブルの解消作業を行うことになり、その際、重量が大きな両替機を回動させるのには大きな力が必要で、作業者（店員等）に負担がかかるばかりでなく、硬貨補給ユニットと両替機の接続部，島端の飾り等、他の部分を破損する可能性が生じ、また、両替機自体を回動させると、通路を塞いでしまって、利用客に対して迷惑をかけることになる。
【０００７】
本発明は上記問題点を解消するためのものであって、遊技台島の側面に配置する両替機等の突出量を小さくすることを第１の目的とする。
【０００８】
また、本発明は、硬貨回収コンベア末端近傍の貨幣受入排出部におけるトラブル発生時に両替機を回動させることなくメンテナンスを行えるようにすることを第２の目的とする。
【０００９】
【課題を解決するための手段】
本発明の貨幣両替機は、上記目的を達成するものであり、複数の遊技台および複数の遊技媒体貸出機が列設されてなり各遊技媒体貸出機に投入された貨幣を回収して一方向に搬送する貨幣回収手段として硬貨回収コンベア装置および紙幣回収コンベア装置を内部に備えた遊技台島の側面に配置する貨幣両替機であって、該貨幣両替機の本体背板部略中央に前記硬貨回収コンベア装置の末端が貫入され、該貨幣両替機の本体内部略中央に、前記硬貨回収コンベア装置の末端に対向して、回収された硬貨を受け入れて排出する硬貨受入排出部が配置され、該貨幣両替機の本体内部上方に、前記硬貨受入排出部より上方に受入部を有する硬貨収納部と該硬貨収納部の下方に位置する繰出部とからなる硬貨処理装置が配置され、前記繰出部の下方に、該繰出部から繰り出された硬貨を投出する硬貨投出手段が配置され、該貨幣両替機の本体内部側方の本体背板部近接位置に、前記硬貨受入排出部から排出された硬貨を受け取って前記硬貨収納部の受入部へ搬送する硬貨搬送手段が配置され、前記硬貨処理装置は、該貨幣両替機の本体内部上方の、前記硬貨搬送手段の前方で前記硬貨搬送手段と干渉しない位置に配置され、該硬貨処理装置と並んで該貨幣両替機の本体内部上方の中央から前記硬貨搬送手段とは反対側の側方にかかる位置に紙幣処理装置が配置され、該貨幣両替機の本体前面に開閉可能な扉体が設けられるとともに、前記硬貨処理装置、硬貨投出手段、硬貨搬送手段および紙幣処理装置を含む該貨幣両替機の内部機器が、前記扉体を開放するだけで前記硬貨受入排出部のメンテナンスを行うことができるよう、前記硬貨受入排出部の前方を避けて配置されていることを特徴とする。
【００１０】
【作用】
本発明の貨幣両替機において、各遊技媒体貸出機に投入された貨幣は、遊技台島の内部に設けられた貨幣回収手段（硬貨回収コンベア装置および紙幣回収コンベア装置）により回収されて一方向に搬送され、そのうち、硬貨は、遊技台島の側面に配置された貨幣両替機の硬貨受入排出部に受け入れられる。そして、硬貨受入排出部に受け入れられた硬貨は、硬貨受入排出部から排出されて貨幣両替機の内部において硬貨搬出手段に受け取られ、硬貨受入排出部より上方の受入部に搬送されて硬貨収納部に収納される。そして、硬貨収納部に収納された硬貨は硬貨収納部より下方に位置する硬貨投出手段により投出される。この場合、硬貨受入排出部および硬貨搬送手段はいずれも貨幣両替機に設けられたものであるため、遊技台島の側面における貨幣両替機の突出量が大きくなることはない。
【００１１】
また、この貨幣両替機においては、硬貨回収手段末端近傍の硬貨受入排出部等にトラブルが発生した場合、貨幣両替機全体を動かすのではなくて、前面の扉体を開けるだけでメンテナンス作業が可能である。しかも、貨幣両替機の内部機器が硬貨受入排出部の前方位置にないので、作業が容易である。
【００１２】
【実施例】
以下、本発明の実施例を図面に基づいて説明する。
【００１３】
図１は本発明の一実施例であるパチンコ島端の両替機（島端両替機）の内部構造を示す開扉状態の正面図、図２は図１におけるＡ−Ａ断面図、図３は図１におけるＢ−Ｂ断面図である。また、図４は同両替機を正面右上から見た外観斜視図、図５は同両替機が設置されるパチンコ島の概略構造を示す正面図である。
【００１４】
図において符号１はこの実施例の両替機を示す。この両替機１は、図４に示すように、前面が開放された箱型の本体２に開閉可能な扉体３が取り付けられ、本体２の下面には、前方に向けて突出する左右一対の転倒防止用の脚部４が設けられている。そして、扉体３の前面には、『５００円×２枚』，『５００円×４枚』，『５００円×６枚』，『５００円×１０枚』および『千円紙幣』といった５種類の両替パターンを選択するための５個の選択ボタン５が上部中央に配置され、それら選択ボタン５の左下に隣接する位置に硬貨投入口６および返却レバー７が配置され、右下やや下がった位置に紙幣取扱口８が配置され、その下方で扉体３の略中央に硬貨投出口９が配置されている。
【００１５】
この実施例の両替機１は、紙幣を５００円硬貨に両替する機能と、逆に５００円硬貨を紙幣（千円紙幣）に両替する機能（逆両替という）とを有するものである。そして、千円紙幣が投入されると投入された全金額に相当する枚数の５００円硬貨を投出し、高額紙幣（１万円紙幣，５千円紙幣）が投入されると選択ボタン５による選択の後、選択された枚数の５００硬貨を投出し、残りの金額がある場合はその残りの金額に相当する紙幣（千円紙幣）を投出する。また、５００円硬貨が投入されると、その投入金額に応じた枚数の千円紙幣を投出する。
【００１６】
この実施例の両替機１は、図５に示すように複数のパチンコ台（遊技台）１０と複数の台間玉貸機（遊技媒体貸出機）１１が一つずつ交互に一列に配設されてなるパチンコ島１２の一方の側面に配置されるものである。パチンコ島１２には、また、両替機１とは反対側の側面に紙幣回収箱１３が配置されている。また、パチンコ島（遊技台島）１２内には、各台間玉貸機１１に投入された硬貨（１００円硬貨，５００円硬貨）を回収して両替機１に送り込む硬貨回収コンベア装置１４と、各台間玉貸機１１に投入された紙幣（千円紙幣）を回収して紙幣回収箱１３に送り込む紙幣回収コンベア装置１５が設置されている。
【００１７】
両替機１の内部構造は図１〜図３に示すとおりであって、本体２の背板部には正面から見て略中央にパチンコ島１２の硬貨回収コンベア装置１４の末端が貫入される。そして、その貫入される硬貨回収コンベア装置１４の末端に対向して、回収されてきた硬貨を受け取り、直径に基づいて１００硬貨と５００円硬貨とに選別する硬貨選別機構を備えたコンベアヘッド（硬貨受入排出部）１０１が取り付けられている。また、本体２内下方には、５００円硬貨用の第１硬貨回収箱１０２と１００円硬貨用の第２硬貨回収箱１０３の二つの硬貨回収箱がそれぞれ着脱可能に配置されている。そのうち、第２硬貨回収箱１０３は、コンベアヘッド１０１から延びる１００円硬貨用シュート１０４が直接接続され、コンベアヘッド１０１によって選別された１００円硬貨をそのまま回収する。また、第１硬貨回収箱１０２の上方には振分装置１０５が配置され、この振分装置１０５にコンベアヘッド１０１から延びる５００円硬貨用シュート１０６が接続されている。この振分装置１０５は、送り込まれた５００円硬貨を下方の第１硬貨回収箱１０２に排出し、あるいは正面から見て左側方に排出するよう振り分けることができるもので、詳細は後述する。そして、本体２内左側方には、本体２の背板部に近接する位置に、振分装置１０５から左側方に排出された５００円硬貨を受け入れて上方に搬送するバケット１０７と、その駆動機構としての駆動モータ１０８，ワイヤ１０９，上下各一対のプーリ１１０，左右一対のガイドレール１１１等とからなるリフト装置（硬貨搬送手段）が配置されている。また、本体２内上方には、リフト装置の前方でバケット１０７と干渉しない左側方位置に硬貨処理装置１２０が配置され、その硬貨処理装置１２０と並ぶ高さで本体２内上方の中央から右側方にかかる位置に紙幣処理装置１３０が配置されている。これら第１硬貨回収箱１０２，第２硬貨回収箱１０３，振分装置１０５，バケット１０７およびその駆動機構，硬貨処理装置１２０，紙幣処理装置１３０といった両替機１の内部機器は、扉体３を開放するだけでコンベアヘッド１０１のメンテナンスを行うことができるよう、コンベアヘッド１０１の前方を避けて配置されている。
【００１８】
硬貨処理装置１２０は、多量の硬貨を受け入れるホッパ部（硬貨収納部）１２１と、ホッパ部１２１の下方に位置して硬貨を１枚ずつ繰り出す繰出部１２２とからなるものである。そして、ホッパ部１２１の前面上方位置には前面から係員が手作業で硬貨を補給できるよう開閉扉付きの補給口１２３が形成されている。また、繰出部１２２から繰り出され、送り出された硬貨を受け入れる投出シュート１２４が繰出部１２２の下方に配置され、その投出シュート１２４の途中には、振分機構を備える分岐部１２５が設けられて、その分岐部１２５は、一方で扉体３の硬貨投出口９に通じ、他方で第１硬貨回収箱１０２に通じる回収シュート１２６に接続されている。
【００１９】
紙幣処理装置１３０は、千円紙幣収納・繰出部１３１，１万円紙幣収納部１３２，五千円紙幣収納部１３３，出金リジェクト紙幣収納部１３４，出金紙幣保留部１３５および紙幣受入部１３６とからなっている。
【００２０】
また、扉体３の裏側には、上方に、両替パターンの設定や両替金額の集計等を行えるようにするための係員用操作部３１が配置されている。また、扉体３の裏側には、硬貨投入口６の下方に、投入された硬貨の真偽及び金種を識別する硬貨識別部３２が設けられ、この硬貨識別部３２と並んで、硬貨識別部３２により正常な硬貨（５００円硬貨）と識別されて受け入れられた硬貨を収納する硬貨収納部３３が設けられている。また、硬貨識別部３２から下方へ、硬貨識別部３２により異常な硬貨あるいは５００円以外の硬貨と識別され排出された硬貨を硬貨投出部９へ送る返却シュート３４が配置され、その返却シュート３４の途中には、硬貨処理装置１２０から延びる投出シュート１２４の分岐部から硬貨を受け入れる接続部３５が設けられている。
【００２１】
硬貨回収コンベア装置１４の末端に対向して取り付けられる上記コンベアヘッド１０１は、硬貨回収コンベア装置１４によって回収されてきた硬貨を逆転ローラで１枚ずつに制限しつつ選別孔を有するガイド板に押し付けて選別するというもので、それ自体公知の硬貨選別機構からなっている。
【００２２】
図６に、第１硬貨回収箱１０２の上方に配置される振分装置１０５の構造を示す。この振分装置１０５は、箱体５１の上面に受入口５２を有し、下面に下方排出口５３を有し、正面から見て左側面に側方排出口５４を有する。そして、箱体５１の内部には、上端が受入口５２に通じ、途中で二股に分岐して、一方が下方排出口５３に通じ、もう一方が側方排出口５４に通じるよう排出通路５５が形成されている。そして、その排出通路５５の分岐点には、図示しない駆動源により駆動され、側方排出口５４へ通じる通路部分を塞ぐ位置と下方排出口５３へ通じる通路部分を閉じる位置との間を、側方排出口５４を塞ぐ位置を待機位置として回動する振分部材５６が配置されている。また、側方排出口５４には、開閉可能な蓋体５７が取り付けられている。蓋体５７が閉じられると、排出通路５５の側方排出口５４上流の通路部分に硬貨が保留され、蓋体５７が開放されると、側方排出口５４から硬貨が排出される。図６に示されたように振分部材５６が下方排出口５３へ通じる通路部分を塞ぐ位置にあり蓋体５７が閉じられた状態では、受入口５２に受け入れられた硬貨（５００円硬貨）は側方排出口５４側の通路部分に送り込まれ、その通路部分に保留される。そして、蓋体５７が開放されれば、保留硬貨は側方排出口５４から排出され、図示しないシュートを介してバケット１０７へ送り込まれる。また、振分部材５６が側方排出口５４へ通じる通路部分を塞ぐ位置にあれば、受入口５２に受け入れられた硬貨（５００円硬貨）は下方排出口５３側の通路部分に送り込まれ、下方排出口５３から排出されて第１硬貨回収箱１０２に回収される。
【００２３】
図７はリフト装置におけるバケット１０７を正面左上から見た外観斜視図である。また、図８は同外観斜視図で示すバケット１０７の動作説明図である。バケット１０７は、上面が開放され、底面が正面に向け前下がりに傾斜した箱体７１からなるもので、箱体７１の前面の下側略半分は開口し、排出口７２を構成している。そして、この排出口７２には開閉可能なスライド蓋７３が取り付けられている。スライド蓋７３は、箱体７１の両側壁部に設けられた長孔７４にピン７５が係合することによって、最上位位置においては排出口７２を閉鎖し、最下位位置においては排出口７２を開放するよう上下動可能に支持されたもので、箱体７１との間に装着された左右一対の引っ張りバネ７６により上方へ向け付勢され。通常は最上位位置にあって排出口７２を閉鎖している。
【００２４】
バケット１０７を上下動させる駆動機構は、上述のように、駆動モータ１０８，ワイヤ１０９，上下各一対のプーリ１１０，左右一対のガイドレール１１１等からなるものであって、回動可能なプーリ１１０が上下に配置され、その間にリング状のワイヤ１０９が張設され、さらに、ワイヤ１０９は、下端が駆動モータ１０８によって駆動される駆動プーリ１１２に巻回され、駆動モータ１０８により回動される。そして、バケット１０７は、一部がワイヤ１０９に接続されるとともに、ガイドレール１１１による規制を受け、駆動モータ１０８の回転により上下動される。バケット１０７の移動区域は、振分装置１０５から硬貨（５００円硬貨）を受け取る位置を最下位位置とし、硬貨処理機１２０の上端後方に達する位置を最上位位置とされる。そして、バケット１０７の上昇時に最上位位置の手前でスライド蓋７３を係止し、バケット１０７が最上位位置に達した時には排出口７２を完全に開放するよう、本体２側に係止部材７７が設けられている。バケット１０７が最上位位置に達すると排出口７２は完全に開放される。そして、バケット１０７の降下に伴ってスライド蓋７３が徐々に閉じ、バケット１０７が排出口７２の縦寸法分降下した時点で排出口７２は閉鎖される。
【００２５】
図９に、硬貨処理装置１２０の内部構造を示す。硬貨処理装置１２０のホッパ部１２１には、その前面上部位置に上述のように補給口１２３が形成されている。そして、その補給口１２３には把手付きの開閉扉２０１が設けられている。また、ホッパ部１２１の後面上部であって、最上位位置にあるときのバケット１０７の排出口７２に対向する位置には、バケット１０７から排出された硬貨を受け入れる自動補給用の補給口（受入部）２０２が設けられている。
【００２６】
ホッパ部１２１の底面は、中央が下がる向きの傾斜を有し、中央には開口２０３が形成され、その開口２０３に柱状回転体２０４が挿着されている。この柱状回転体２０４は、円筒形状の部材の上部を円錐形状の部材で塞いだもので、内部に保留部２０５としての空間を有し、側面の一部が導入口２０６として開放され、また、開放された下面には２枚のシャッタ部材とその駆動機構とからなるシャッタ２０７が設けられている。
【００２７】
ホッパ部１２１の下方に位置する繰出部１２２には、ホッパ部１２１から放出された硬貨を受け入れる繰出ホッパ２０８と、その繰出ホッパ２０８の底面を構成し水平面に対してやや傾斜する繰出円板２０９および逆転ローラ２１０からなる特願平６−９２６３８に示される繰り出し機構が設けられている。
【００２８】
ホッパ部１２１に硬貨が装填された状態で柱状回転体２０４が回転すると、その回転体２０４側方の導入口２０６を通じて保留部２０５に硬貨が入り込む。そして、シャッタ２０７が開放されることによって保留部２０５内の硬貨が落下し、繰出部１２２の繰出ホッパ２０８内に収納される。そして、繰出円板２０９が回転することにより硬貨が繰り出され、逆転ローラ２１０により１枚ずつに規制されて投出通路２１１に送り出され、下方の投出シュート１２４に排出される。
【００２９】
図１０および図１１に、紙幣処理装置１３０の構造と動作を示す。なお、図１０は入金時の状態であり、図１１は出金時の状態である。紙幣処理装置１３０の内部には、上方から順に、上述の千円紙幣収納・繰出部１３１，１万円紙幣収納部１３２，五千円紙幣収納部１３３，出金リジェクト紙幣収納部１３４，出金紙幣保留部１３５および紙幣受入部１３６が設けられている。図において、一点鎖線Ｐは紙幣を示す（後述の図１２〜１４についても同様）。
【００３０】
千円紙幣収納・繰出部１３１は、搬送されてきた紙幣を上部右側の受入口１３７から収納空間１３８に受け入れて底板１３９上に集積収納するとともに、繰出ベルト１４０によって収納紙幣を上部左側の繰出口１４１から１枚ずつ繰り出すことができるものである。
【００３１】
１万円紙幣収納部１３２と五千円紙幣収納部１３３は略同じ構造で、それぞれの受入口１４２，１４３から収納空間１４４，１４５の下方に送り込まれた紙幣をそれぞれの押し込み部材１４６，１４７によって上方に押し込むことにより、それぞれの支え棒１４８，１４９の上に集積するというものである。
【００３２】
出金リジェクト紙幣収納部１３４は、搬送されてきた紙幣を単純に集積収納するものである。出金リジェクト紙幣収納部１３４の収納空間１５０は、五千円紙幣収納部１３３の収納空間１４５に紙幣を押し込むための上記押し込み部材１４７の下方に位置し、五千円紙幣収納部１３３とは受入口１４３を共用する。そして、搬送されてきた紙幣が、五千円紙幣収納部１３３に収納されるか、出金リジェクト紙幣収納部１３４に収納されるかは、紙幣が搬送されてきた時の押し込み部材１４７の位置によって決まる。すなわち、押し込み部材１４７が低い位置にある時に紙幣が搬送されてくれば、その紙幣は押し込み部材１４７上に載置されて五千円紙幣収納部１３３の収納空間１４５に押し込まれ、一方、押し込み部材１４７が高い位置にある時に紙幣が搬送されてくれば、その紙幣は出金リジェクト紙幣収納部１３４に送り込まれる。
【００３３】
出金紙幣保留部１３５は、搬送されてきた紙幣が集積される保留空間１５１と、集積された紙幣を後述する紙幣取込・排出ベルトに押し付ける押さえローラ１５２およびその駆動機構とからなっている。
【００３４】
図１０に示すように、紙幣受入部１３６の下面左側方から延設される搬送路は上昇搬送路１５３となって上方に向かい、千円紙幣収納・繰出部１３１の下方で向きを変え、下降搬送路１５４となって出金紙幣保留部１３５に通じる。そして、その下降搬送路１５４には、分岐爪１５５を有する３個の分岐部１５６〜１５８が設けられている。これら分岐部を、上から順に、第１分岐部１５６，第２分岐部１５７および第３分岐部１５８と呼ぶ。そして、各分岐部１５６〜１５８からは右側方にそれぞれ分岐搬送路１５９〜１６１が延びている。それら分岐搬送路を、それぞれ第１分岐搬送路１５９，第２分岐搬送路１６０および第３分岐搬送路１６１と呼ぶ。第１分岐搬送路１５９は、千円紙幣収納・繰出部１３１の下方から右側方を回り、千円紙幣収納・繰出部１３１の受入口１３７に通じる。また、第２分岐搬送路１６０は、１万円紙幣収納部１３２の受入口１４２に通じ、第３分岐搬送路１６１は、五千円紙幣収納部１３３および出金リジェクト紙幣収納部１３４の受入口１４３に通じる。また、図１１に示すように、千円紙幣収納・繰出部１３１の繰出口１４１から左側方に繰出搬送路１６２が延び、この繰出搬送路１６２は左側方で下方に向かい、上記下降搬送路１５４に合流する。
【００３５】
出金紙幣保留部１３５および紙幣受入部１３６の前方は、紙幣取扱口８との間が紙幣取込・排出部１６３となっている。この紙幣取込・排出部１６３の詳細な構造は図１２の（ａ）の正面図および（ｂ）の一部断面で示す側面図のとおりであって、前後に配置された各一対のプーリ１６４，１６５に張設されて取込・排出ベルト１６６が左右に２本設けられている。そして、各取込・排出ベルト１６６が張設される左右の前側プーリ１６４の下方には、上下に揺動可能かつ上昇方向に付勢された下挟持ローラ１６７がそれぞれ配置され、これら下挟持プーリ１６７は、それぞれの取込・排出ベルト１６６を挟んで前側のプーリ１６４に下方から押し付けられている。これら前後のプーリ１６４，１６５と取込・排出ベルト１６６と下挟持ローラ１６７とは、紙幣取込機構を構成している。また、各取込・排出ベルト１６６が張設される左右の前側プーリ１６４の上方には、上下に揺動可能かつ下降方向に付勢された上挟持ローラ１６８がそれぞれ配置され、これら上挟持ローラ１６８は、それぞれの取込・排出ベルト１６６を挟んで前側のプーリ１６４に上方から押し付けられている。また、取込・排出ベルト１６６の上部前方にはシャッタ部材１６９が設けられている。取込・排出ベルト１６６が張設される前後のプーリ１６４，１６５と取込・排出ベルト１６６と上挟持ローラ１６８とは、紙幣排出機構を構成している。下挟持ローラ１６７および上挟持ローラ１６８はいずれもそれ自体が駆動されるものではなく、取込・排出ベルト１６６に押し付けられることによて従動回転する。また、これら下挟持ローラ１６７および上挟持ローラ１６８は、それらの回転軸が駆動伝達ベルト（図示せず）によって互いに連結されていて、一方が回転すれば他方も同方向に回転する。なお、紙幣が取り込まれる位置と、紙幣が投出される位置は近接しており、両替機１の前方から見れば略同一位置に見える。そこで、これらを一まとめにして紙幣取扱口８と呼んでいる。
【００３６】
紙幣受入部１３６は、利用者によって投入された紙幣を前方から受け入れる受入空間に、該紙幣を１枚ずつ繰り出す受入繰出機構１７０と、紙幣を繰出機構１７０の繰出ベルト１７１に押し付ける押さえ部材１７２およびその駆動機構とからなるものである。その受入繰出機構１７０は、受入空間下面から左側方へ向けて張設された繰出ベルト１７１と、その繰出ベルト１７１に対向して配置された逆転ローラ１７３と、この逆転ローラ１７３に対向して配置された付勢ローラ１７４とからなっている。
【００３７】
上昇搬送路１５３には、搬送される紙幣の金種および真偽を判定する紙幣識別部９１が設けられ、また、その上方には千円紙幣収納部１３１へのゲートタイミングを計るタイミングセンサ１７５が設置されている。そして、下降搬送路１５４には、五千円紙幣収納部１３３へのゲートタイミングを計るタイミングセンサ１７６が設けられている。また、第１分岐部１５６直下流の第１分岐搬送路１５９には、ジャム監視センサ１７７が設けられ、第２分岐部１５７直下流の第２分岐通路１６０にカウントセンサ１７８が、また、第３分岐部１５８直下流の第３分岐通路部分１６１にカウントセンサ１７９が、下降搬送路１５４下流には出金紙幣保留部１３５の手前にカウントセンサ１８０がそれぞれ設けられている。また、千円紙幣収納・繰出部１３１の繰出口１４１直下流の繰出搬送路１６２にに紙幣有無検知センサ１８１が、出金紙幣保留部１３５の保留空間１５１に紙幣有無検知センサ１８２が、紙幣受入部１３６に紙幣有無検知センサ１８３が、受入繰出機構１７０の繰出ベルト１７１の位置に紙幣有無検知センサ１８４が、繰出搬送路１６２の下流に出金識別センサ１９０がそれぞれ設けられている。
【００３８】
また、紙幣処理装置１３０は、前面に開閉扉１８５を備えている。
【００３９】
この実施例の両替機１の操作ならびに動作をつぎに説明する。
【００４０】
（１）開店前の準備
準備においては、硬貨処理装置１２０のホッパ部１２１の手動補給用の補給口１２３を開いて５００円硬貨を装填し、紙幣処理装置１３０の千円紙幣収納・繰出部１３１に千円紙幣を装填する。１万円紙幣収納部１３２および五千円紙幣収納部１３３は空のままでよい。
【００４１】
（２）両替パターンＡ（千円紙幣を５００円硬貨に両替する）
複数枚の千円紙幣が紙幣取扱口８に挿入されると、紙幣取込・排出部１６３の取込・排出ベルト１６６が駆動され、それら紙幣が、図１３に示すように取込・排出ベルト１６６と下挟持ローラ１６７によって挟持搬送され、紙幣受入部１３６に送り込まれる。その際、取込・排出ベルト１６６の回転が接触摩擦によって上挟持ローラ１６８に伝えられ、更に駆動伝達ベルトによって下挟持ローラ１６７に伝えられるため、下挟持ローラ１６７も回転する。そのため、挟持される紙幣が多くても、紙幣間のずれを起こさせることなく確実に挟持搬送できる。
【００４２】
次に、押さえ部材１７２が紙幣を押さえ付けるとともに、受入繰出機構１７０が駆動され、紙幣が１枚ずつ繰り出される。そして、繰り出された紙幣は上昇搬送路１５３を通って搬送され、途中、紙幣識別部９１内を通過することによって識別される。そして、正常であると識別された紙幣は第１分岐部１５６から第１分岐搬送路１５９に送られ、千円紙幣収納部１３１に送り込まれる。一方、正常でないと判断された紙幣（入金リジェクト紙幣）は、下降搬送路１５４を通って出金紙幣保留部１３５の保留空間１５１に送り込まれる。そして、出金紙幣保留部１３５において押さえローラ１５２が入金リジェクト紙幣を取込・排出ベルト１６６に押し付けるとともに、同ベルト１６６が駆動されることにより、入金リジェクト紙幣が紙幣取扱口から返却される（図１４参照）。
【００４３】
そして、投入された全ての紙幣が取り込まれるか、返却されるかした後、取り込まれた紙幣の金額に相当する枚数の５００円硬貨が硬貨処理装置１２０から繰り出され、硬貨投出口９に投出される。
【００４４】
（３）両替パターンＢ（高額紙幣を５００円硬貨に両替）
１万円紙幣が紙幣取扱口８に挿入されると、紙幣取込・排出部１６３の取込・排出ベルト１６６が駆動され、それら紙幣が、やはり図１３に示すように取込・排出ベルト１６６と下挟持プーリ１６７によって挟持搬送され、紙幣受入部１３６に送り込まれる。
【００４５】
次に、押さえ部材１７２が紙幣を押さえ付けるとともに、受入繰出機構１７０が駆動されることによって、紙幣が繰り出される。そして、繰り出された紙幣は上昇搬送路１５３を通って搬送され、途中、紙幣識別部９１内を通過することによって識別される。そして、正常であると識別されると、紙幣は第２分岐部１５７から第２分岐搬送路１６０に送られ、１万円紙幣収納部１３２に送り込まれる。一方、正常でないと判断されると、紙幣（入金リジェクト紙幣）は、下降搬送路１５４を通って出金紙幣保留部１３５の保留空間１５１に送り込まれる。そして、出金紙幣保留部１３５において押さえローラ１５２が入金リジェクト紙幣を取込・排出ベルト１６６に押し付けるとともに、同ベルト１６６が駆動されることにより、入金リジェクト紙幣が紙幣取扱口から返却される。
【００４６】
そして、１万円紙幣が返却されずに取り込まれた後、選択ボタン５の操作に従って両替が行われる。例えば選択ボタン５の『５００円×１０枚』が押下された場合、硬貨処理装置１２０から５００円硬貨が１０枚繰り出されて、硬貨投出口９に投出され、同時に、紙幣処理装置１３０の千円紙幣収納・繰出部１３１から千円紙幣が５枚繰り出されて、下降搬送路１５４を通って出金紙幣保留部１３５に送り込まれ、出金紙幣保留部１３５において押さえローラ１５２が千円紙幣を取込・排出ベルト１６６に押し付けるとともに、同ベルト１６６が駆動されることにより、図１４に示すように紙幣取扱口８から払い出される。
【００４７】
（４）逆両替（５００円硬貨を千円紙幣に両替）
硬貨投入口６に複数枚の５００円硬貨が投入されると、硬貨識別部３２によって識別され、正常硬貨は保留され、異常硬貨は硬貨投出口９へ返却される。そして、次に選択ボタン５の『千円紙幣』が押下されると、偶数枚数の５００円硬貨が硬貨回収箱に取り込まれるとともに、取り込まれた金額に相当する千円紙幣が紙幣処理装置１３０の千円紙幣収納・繰出部から繰り出され、紙幣取扱口８に投出される。そして、投入された５００円硬貨が奇数枚数であった場合には、５００円硬貨が１枚だけ硬貨投出口９に返却される。
【００４８】
（５）５００円硬貨の自動補充
パチンコ島１２内の台間玉貸機１１に投入された硬貨（１００円硬貨，５００円硬貨）は、硬貨回収コンベア装置１４によって島端の両替機１内に回収される。そして、回収された硬貨は、コンベアヘッド１０１において、１層に整列され、１００円硬貨と５００円硬貨に選別される。そして、１００円硬貨は１００円硬貨用シュート１０４を通って第２硬貨回収箱１０３に回収され、５００円硬貨は５００円硬貨用シュート１０６を通って振分装置１０５に送り込まれる。
【００４９】
硬貨処理装置１２０のホッパ部１２１に５００円硬貨が所定量以上あって、補充の必要がない場合には、振分装置１０５内の振分部材５６は下方排出口５３に通じる通路部分を開放する位置をとり、５００円硬貨を下方の第１硬貨回収箱１０２に送り込む。
【００５０】
一方、硬貨処理装置１２０のホッパ部１２１に５００円硬貨の補充が必要な場合には、振分装置１０５内の振分部材５６は側方排出口５４に通じる通路部分を開放する位置をとり、５００円硬貨はその通路部分に保留される。
【００５１】
次に、側方排出口５４の蓋体５７が開放されると、保留されていた５００円硬貨は側方排出口５４から排出され、バケット１０７に送り込まれる。この時、バケット１０７のスライド蓋７３は引っ張りバネ７６の付勢によってバケット１０７の排出口７２を塞ぐ位置にある。
【００５２】
次に、駆動モータ１０８が駆動されると、バケット１０７がガイドレール１１１に沿って上方に搬送される。そして、バケット１０７が硬貨処理装置１２０のホッパ部１２１後方の最上位位置近傍に達すると、係止部材７７によってスライド蓋７３は開放される。そして、バケット１０７内の保留硬貨はバケット底部の傾斜によって排出口７２から排出され、ホッパ部１２１後面の自動補給用の補給口２０２からホッパ部１２０内に補給される。その後、バケット１０７は下方の待機位置に戻される。
【００５３】
（６）メンテナンス
両替機１内のメンテナンスやトラブルの解除を行う場合には、扉体３を開放して行う。
【００５４】
硬貨を回収する場合には、係員用操作部３１を操作して、硬貨処理装置１２０のホッパ部１２１内の全ての５００円硬貨を繰り出す。そして、繰り出した硬貨を回収シュート１２６を通して第１硬貨回収箱１０２に送り込んだ後、同回収箱１０２を抜き取る。また、１００円硬貨は既に第２硬貨回収箱１０３に回収されているので、そのまま同回収箱１０３を抜き取ればよい。
【００５５】
紙幣を回収する場合には、紙幣処理装置１３０の開閉扉１８５を開放し、各収納部１３１，１３２，１３３，１３４から紙幣を抜き取る。
【００５６】
コンベアヘッド１０１の近傍は他の部分に比べて詰まりが起こりやすいが、扉体３を開くとコンベアヘッド１０１は露出した状態となるので、両替機１の内部機器をスライドさせることなくそのまま解除作業を行うことができる。
【００５７】
【発明の効果】
本発明は以上のように構成され、硬貨受入排出部（コンベアヘッド）および硬貨搬送手段がいずれも貨幣両替機に設けられたものであるため、遊技台島の側面に配置する両替機等の突出量を小さくすることができる。
【００５８】
また、両替機の前面に開閉可能な扉体を設けることによって、貨幣回収手段（硬貨回収コンベア装置）末端近傍の硬貨受入排出部等にトラブルが発生した場合のメンテナンスを、貨幣両替機全体を動かすことなく行うようにでき、また、貨幣両替機の内部機器を硬貨受入排出部の前方位置を避けた配置とすることにより、上記メンテナンスを容易に行える。
【図面の簡単な説明】
【図１】  本発明の一実施例である両替機の内部構造を示す開扉状態の正面図である。
【図２】  図１におけるＡ−Ａ断面図である。
【図３】  図１におけるＢ−Ｂ断面図である。
【図４】  同両替機を正面右上から見た外観斜視図である。
【図５】  同両替機が設置されるパチンコ島の概略構造を示す正面図である。
【図６】  同両替機の振分装置を一部断面で示す分解斜視図である。
【図７】  同両替機のバケットの構造を示す斜視図である。
【図８】  同両替機のバケットの構造および動作を説明する斜視図である。
【図９】  同両替機の硬貨処理装置の構造を示す縦断面図である。
【図１０】  同両替機の紙幣処理装置の構造および動作を入金時の状態で示す正面図である。
【図１１】  同両替機の紙幣処理装置の構造および動作を出金時の状態で示す正面図である。
【図１２】  同両替機の紙幣処理装置の紙幣取扱口近傍の構造を示す正面図（ａ）および一部断面側面図（ｂ）である。
【図１３】  同両替機の紙幣処理装置の紙幣取込・排出部の入金時の動作を説明する一部断面側面図である。
【図１４】  同両替機の紙幣処理装置の紙幣取込・排出部の出金時（返却時）の動作を説明する一部断面側面図である。
【符号の説明】
１  両替機
２  本体（両替機）
３  扉体
１０  パチンコ台（遊技台）
１１  台間玉貸機（遊技媒体貸出機）
１２  パチンコ島（遊技台島）
１４  硬貨回収コンベア装置（貨幣回収手段）
１０１  コンベアヘッド（硬貨受入排出部）
１０２  第１硬貨回収箱
１０３  第２硬貨回収箱
１０５  振分装置
１０７  バケット
１０８  駆動モータ
１０９  ワイヤ
１１０  プーリ
１１１  ガイドレール
１２０  硬貨処理装置
１２１  ホッパ部（硬貨収納部）
１２２  繰出部
１２４  投出シュート
１２６  回収シュート
【図１】
0003784029.tif 000002
【図２】
0003784029.tif 000003
【図３】
0003784029.tif 000004
【図４】
0003784029.tif 000005
【図５】
0003784029.tif 000006
【図６】
0003784029.tif 000007
【図７】
0003784029.tif 000008
【図８】
0003784029.tif 000009
【図９】
0003784029.tif 000010
【図１０】
0003784029.tif 000011
【図１１】
0003784029.tif 000012
【図１２】
0003784029.tif 000013
【図１３】
0003784029.tif 000014
【図１４】
0003784029.tif 000015